(57)【特許請求の範囲】
【請求項１】
胴部を含む容器であって、
前記胴部の軸方向中央部付近に配置された把持用の第１凹部と、
前記第１凹部と容器底部との間に前記軸方向に直交する方向に沿って配置された溝と、
前記第１凹部と前記溝とを繋ぐように配置された把持用の第２凹部とを備えることを特徴とする容器。
【請求項２】
前記第２凹部は、第１底面と、前記第１底面よりも容器内側方向に深い位置に配置された第２底面とを含み、前記第１底面及び前記第２底面により段差が形成されていることを特徴とする請求項１に記載の容器。
【請求項３】
前記段差は、前記軸方向に直交する方向に延びていることを特徴とする請求項２に記載の容器。
【請求項４】
前記第２凹部は、２つの前記第１底面を含み、前記第２底面は、２つの前記第１底面の間に配置されていることを特徴とする請求項２又は３に記載の容器。
【請求項５】
前記第２凹部は、前記軸方向に沿って延びた一対の傾斜面を含むことを特徴とする請求項１乃至４のいずれか１項に記載の容器。
【請求項６】
合成樹脂で構成されていることを特徴とする請求項１乃至５のいずれか１項に記載の容器。
【請求項７】
請求項１乃至６のいずれか１項に記載の容器に液体を充填してなることを特徴とする物品。
【発明の詳細な説明】
【技術分野】
【０００１】
本発明は、飲料等の液体の入れ物として好適な容器に関する。
【背景技術】
【０００２】
飲料用の容器として、内容量が５００ミリリットル、１リットル、２リットル等の容器が知られている。特に、２リットル容器のように大型の容器については、機械的な強度や把持の容易性を確保するために様々な形状的な工夫がなされている。
【０００３】
特許文献１には、容器の縦方向中央付近に把持部を有する容器が記載されている。この容器には、把持部よりも底部側に把持部と平行に、薬指又は小指用の収納凹部が形成されている。
【０００４】
特許文献２には、縦方向に長方形の凹陥部（幅広のリブ）が形成され、それを横断するように複数のリブが形成された容器が記載されている。
【特許文献１】特開平２００５−１１２３８３号公報
【特許文献２】特開平１０−２０３５１９号公報
【発明の開示】
【発明が解決しようとする課題】
【０００５】
特許文献１に記載された容器には、把持部と収納凹部とが設けられている。しかしながら、特許文献１には、把持部及び収納凹部のような複数の把持のための凹部をリブ等で連結するという思想、或いは、把持のための凹部に連続するように他の凹部を設けて強度を向上させるという思想は皆無である。
【０００６】
特許文献２には、複数のリブを縦方向に延びる凹陥部で連結する構成が記載されている。しかしながら、特許文献２に記載されたリブや凹陥部は、把持の容易性を考慮して設けられたものではない。特に、凹陥部については、把持の容易性とは全く無関係である。
【０００７】
本発明は、例えば、把持が容易で強度が高い容器を提供することを目的とする。
【課題を解決するための手段】
【０００８】
本発明は、胴部を含む容器に係り、前記容器は、前記胴部の軸方向中央部付近に配置された把持用の第１凹部と、前記第１凹部と容器底部との間に前記軸方向に直交する方向に沿って配置された溝と、前記第１凹部と前記溝とを繋ぐように配置された把持用の第２凹部とを備える。
【０００９】
本発明の好適な実施形態によれば、前記第２凹部は、第１底面と、前記第１底面よりも容器内側方向に深い位置に配置された第２底面とを含み、前記第１底面及び前記第２底面により段差が形成されていることが好ましい。
【００１０】
本発明の好適な実施形態によれば、前記段差は、前記軸方向に直交する方向に延びていることが好ましい。
【００１１】
本発明の好適な実施形態によれば、前記第２凹部は、２つの前記第１底面を含み、前記第２底面は、２つの前記第１底面の間に配置されていることが好ましい。
【００１２】
本発明の好適な実施形態によれば、前記第２凹部は、前記軸方向に沿って延びた一対の傾斜面を含むことが好ましい。
【００１３】
本発明の好適な実施形態によれば、前記容器は、合成樹脂で構成されうる。
【００１４】
本発明の他の側面は、上記の容器に液体を充填してなる物品を対象とするものとして把握され得る。
【発明の効果】
【００１５】
本発明は、例えば、把持が容易で強度が高い容器を提供することができる。
【発明を実施するための最良の形態】
【００１６】
以下、添付図面を参照しながら本発明の好適な実施形態を説明する。
【００１７】
図１〜図１５は、本発明の好適な実施形態の容器１００の構成を示す図である。本発明の好適な実施形態の容器１００は、例えば、それ単独で、又は、飲料等の液体が充填されてなる物品として取引されうる。容器１００は、例えば、ＰＥＴ等の合成樹脂で構成されうる。
【００１８】
容器１００は、胴部１０、口部１４及び底部１２を含みうる。胴部１０の軸方向中央部付近には、把持用の第１凹部２０が配置されている。第１凹部２０は、口部側斜面２２及び底部側斜面２４を含みうる。ここで、軸方向とは、容器１００が正立状態で置かれたときの高さ方向であり、図１では上下方向である。第１凹部２０は、例えば、軸方向に直交する方向に沿って胴部１０を一周するように周状に設けられた溝５０に設けられうる。
【００１９】
第１凹部２０は、口部側斜面２２と底部側斜面２４との間に底面２６を含んでもよい。容器１００は、口部側斜面２２と底部側斜面２４とを連結する少なくとも１つのリブ３０を備えうる。
【００２０】
第１凹部２０は、典型的には、容器１００の正面及び背面に、互いに対向するように配置されうる。１つの第１凹部２０について、すなわち、１つの口部側斜面２２と１つの底部側斜面２４について、２つのリブ３０が設けられていることが好ましい。２つのリブ３０の間の領域は、容器１００が把持される際に、親指又は中指（又は、人差し指）の腹の部分が押し当てられることに都合が良い。一方の第１凹部２０に親指を当て、他方の第１凹部２０に中指（又は、人差し指）を当てることによって確実に容器１００を把持することができる。
【００２１】
リブ３０は、その断面が容器外側に向かって凸をなしている。リブ３０は、例えば指の関節部分にフィットして、滑り止め用の突起として有効に機能しうる。リブ３０は、底面２６とは直線で連結され、口部側傾斜面２２及び底部側傾斜２４面とは曲線で連結されうる。典型的には、リブ３０と底面２６とは、実質的に直線でのみ連結されうる。
【００２２】
口部側斜面２２と底部側斜面２４とを少なくとも１つのリブ３０で連結することにより、容器１００の強度を高めることができる。口部側斜面２２と底部側斜面２４とがリブ３０で連結されていない場合には、容器１００が折れ曲がり易くなる。例えば、口部側斜面２２と底部側斜面２４とを連結しないようにリブ３０が設けられている場合には、容器１００は、口部側斜面２２と底面２６との境界付近、又は、底面２６と底部側斜面２４との境界付近において折れ曲がり易くなる。或いは、底面２６が存在せず、口部側斜面２２と底部側斜面２４とが連なった構成においては、口部側斜面２２と底部側斜面２４との境界付近で容器１００が折れ曲がり易くなる。
【００２３】
容器１００は、底部側斜面２４から底部１２の方向に向かって延びた把持用の第２凹部４０を備えうる。第１凹部２０と容器底部１２との間に軸方向に直交する方向に１又は複数の溝６０が配置されうる。第２凹部４０は、第１凹部２０と１又は複数の溝６０とを繋ぐように配置されうる。これにより、容器１００の強度を向上させ、容器１００を折れ曲がり難くすることができる。
【００２４】
第２凹部４０は、第１底面４２と、第１底面４２よりも容器内側方向に深い位置に配置された第２底面４４とを含みうる。第２底面４４は、２つの第１底面４２の間に配置されることが好ましい。第１底面４２及び第２底面４４により段差が形成される。段差は、軸方向に直交する方向に延びていることが好ましく、これにより、軸方向に直交する方向における胴部１０の面の強度が向上する。また、第１凹部２０から繋がった第２凹部４０に段差を設けることにより、第１凹部２０に中指（又は人差し指）を押し当てたときに、薬指（又は人差し指）が第１凹部２０に繋がった第１底面４２上を滑り動いて自然に第２底面４４に触れることになる。すなわち、第１凹部２０から繋がった第２凹部４０に段差を設けることにより、１つの指を第１凹部２０に掛けたときに、他の指が第２凹部の第２底面に自然に誘導されうる。
【００２５】
第２凹部４０は、軸方向に沿って延びるように配置されうる。また、第２凹部４０は、軸方向に沿って延びた一対の傾斜面４６を含みうる。一対の傾斜面４６は、容器１００の強度の向上に寄与し、容器１００を折れ曲がり難くする。
【００２６】
第１凹部２０は、第２凹部４０の第２底面４４よりも容器内側方向に深い部分を含みうる。例えば、第１凹部２０の底面２６は、第２凹部４０の第２底面４４よりも容器内側方向に深い位置に配置されうる。
【図面の簡単な説明】
【００２７】
【図１】本発明の好適な実施形態の容器の正面図である。
【図２】本発明の好適な実施形態の容器の右側側面図である。
【図３】本発明の好適な実施形態の容器の上面図である。
【図４】本発明の好適な実施形態の容器の下面図である。
【図５】本発明の好適な実施形態の容器の断面図（図３のＨ−Ｈ断面）である。
【図６】本発明の好適な実施形態の容器の断面図（図３のＩ−Ｉ断面）である。
【図７】本発明の好適な実施形態の容器の断面図（図３のＧ−Ｇ断面）である。
【図８】本発明の好適な実施形態の容器の断面図（図１のＦ−Ｆ断面）である。
【図９】本発明の好適な実施形態の容器の断面図（図１のＥ−Ｅ断面）である。
【図１０】本発明の好適な実施形態の容器の断面図（図１のＤ−Ｄ断面）である。
【図１１】本発明の好適な実施形態の容器の断面図（図１のＣ−Ｃ断面）である。
【図１２】本発明の好適な実施形態の容器の断面図（図１のＢ−Ｂ断面）である。
【図１３】本発明の好適な実施形態の容器の断面図（図１のＡ−Ａ断面）である。
【図１４】図５のＪ部の詳細断面図である。
【図１５】図１０のＫ部の詳細断面図である。
【符号の説明】
【００２８】
１０  胴部
１２  底部
１４  口部
２０  第１凹部
２２  口部側斜面
２４  底部側斜面
２６  底面
３０  リブ
４０  第２凹部
４２  第１底面
４４  第２底面
４６  傾斜面
５０  溝
６０  溝
【図１】
0004809110.tif 000002
【図２】
0004809110.tif 000003
【図３】
0004809110.tif 000004
【図４】
0004809110.tif 000005
【図５】
0004809110.tif 000006
【図６】
0004809110.tif 000007
【図７】
0004809110.tif 000008
【図８】
0004809110.tif 000009
【図９】
0004809110.tif 000010
【図１０】
0004809110.tif 000011
【図１１】
0004809110.tif 000012
【図１２】
0004809110.tif 000013
【図１３】
0004809110.tif 000014
【図１４】
0004809110.tif 000015
【図１５】
0004809110.tif 000016